(57)【特許請求の範囲】
【請求項１】
第１の光路に沿って光を向けるための第１の白色光源と、
前記第１の光路内に配置されていて、環状スリットを有し該環状スリットに対応する環状の光を除く総べての光を遮光するリング開口と、
前記環状の光を標本に向けて該標本の全反射蛍光検鏡が達成されるようにするための対物レンズとを含んでいる全反射蛍光検鏡に用いられる顕微鏡。
【請求項２】
前記全反射蛍光検鏡に用いられる顕微鏡をレーザ以外の光源を備えた普通検鏡に用いられる顕微鏡に転換し又レーザ以外の光源を備えた普通検鏡に用いられる顕微鏡を前記全反射蛍光検鏡に用いられる顕微鏡に転換するために、
第２の光路に沿って光を向けるための第２の白色光源と、
前記第１の白色光源からの光を遮断するため、前記第１の光路内に配置された第１の遮光手段と、
前記第２の白色光源からの光を遮断するため、前記第２の光路内に配置された第２の遮光手段と、
前記第１の光路からの光環又は前記第２の光路からの光の一方を伝送するため、前記第１及び第２の光路の集光位置に設けられたビームスプリッタを更に含んでおり、
前記対物レンズが、前記第１の遮光手段により前記第１の白色光源からの光が遮断された際には前記第２の光路からの光を標本に向け、前記第２の遮光手段により前記第２の白色光源からの光が遮断された際には前記第１の光路からの光を標本に向けることを可能にした請求項１に記載の顕微鏡。
【請求項３】
前記全反射蛍光検鏡に用いられる顕微鏡をレーザ以外の光源を備えた普通検鏡に用いられる顕微鏡に転換し又レーザ以外の光源を備えた普通検鏡に用いられる顕微鏡を前記全反射蛍光検鏡に用いられる顕微鏡に転換するために、
前記第１の光路から前記対物レンズに光を向ける手段を有する少なくとも２つの光路変更ユニットを持ち、該光路変更ユニットのいずれか１つを前記第１の光路内に選択的に配置可能なターレットを更に含んでおり、
前記光路変更ユニットのうちの少なくとも１つが、更に光環を拡散させるためのディフューザーを有している請求項１に記載の顕微鏡。
【請求項４】
前記対物レンズの開口数が下記条件に従う請求項１に記載の顕微鏡。
θ１＝ｓｉｎ-1（ｎ２／ｎ１）
３  ＞  ＮＡ（ＯＢ）  ＞  ｎ１  ｓｉｎθ１
但し、ＮＡ（ＯＢ）は前記対物レンズの開口数、ｎ１は前記対物レンズ用浸油の屈折率、ｎ２は標本または標本用媒体の屈折率である。
【発明の詳細な説明】
【０００１】
【発明の属する技術分野】
本発明は、全反射蛍光検鏡（以下、TIRFMという）、特に、従来の顕微鏡としても使用し得る従来の白色光源を使用した全反射蛍光顕微鏡に関する。
【０００２】
【従来の技術】
全反射は一種の光学現象である。光が異なる屈折率を有する二つの光学媒質の境界面に当ったとき、光の入射角が“臨界角”より大きいと“全反射”する。しかし、全反射角を超えると、入／反射光の電磁場は、図１６から理解され得るようにＺ方向へ広がる。図１６は、屈折率n１とn２を夫々有する二つの物質１０２と１０４の境界面に入射したレーザー光１００を示している。このレーザー光１００は境界面で反射し、一方、光波１０６はＺ方向へ広がる。Ｚ方向における電磁場の強さは、指数関数的に減衰するエバネッセント波と呼ばれ、その影響は第２の物質１０４内へ２〜３百nmだけ及ぶ。
【０００３】
減衰場内にある標本部分は、励起されて蛍光を発し、その結果、見ることが出来るか記録することが出来る。これはTIRMFの本質である。TIRFMは、生物理学者により多年間使用されてきた単一分子の蛍光観察に使用される光学技術である。TIRFMは、又、一部薄膜特殊染料の開発ための薄膜蛍光観察のために、細胞生物学者や神経科学者にも人気を得つつある。
【０００４】
全反射の条件は、
θ≧sin-1(n2／n1)                                      （１）
である。但し、θは光の入射角度、n1は第一の光学媒質の屈折率、n2は第二の光学媒質の屈折率であって、n2> n1である。
【０００５】
上記式（１）は、エバネッセント波を生成する条件と同じである。TIRFMの主な利点は、エバネッセント波の浸透深さが浅いことである。標本の表面に極めて近い蛍光発光分子のみが励起されて発光し、極薄の光学断面を創生する。エバネッセント場の外側は蛍光が最小になって、非常に高いコントラストの像が形成されるようになる。
【０００６】
【発明が解決しようとする課題】
上記式（１）の全反射条件を作るために、レーザー光源を有するTIRFM顕微鏡は、レーザー光２００を、図１７に示された如き全反射に必要な角度θで標本に向ける。水銀，ハロゲン，キセノン及びメタルハロイドランプのような（TIRFM顕微鏡以外）の従来の顕微鏡に使用される従来の白色光源は、全反射照明に必要とされる角度θ又はそれ以上の角度を照明しないため、TIRFM顕微鏡では使用するのに困難を極めた。それ故、高価な顕微鏡は、TIRFMに供されるレーザー光源を持つことが必要とされる。更に、一般的にレーザー光源は、限定された波長と狭いバンド幅を有している。
【０００７】
それ故、本発明の一つの目的は、従来の白色光源でTIRFMを可能にする顕微鏡を提供することにある。
本発明の他の目的は、従来の白色光源でTIRFMと普通の検鏡を可能にする顕微鏡を提供することにある。
本発明の更に他の目的は、レーザー光源を使用する従来のTIRFM顕微鏡に比べて安価な従来の白色光源を有するTIRFMの可能な顕微鏡を提供することにある。
本発明の更に他の目的は、レーザー光源を使用する従来のTIRFMよりも広い波長バンド幅に亘って操作し得る顕微鏡を提供することにある。
【０００８】
【課題を解決するための手段】
上記の目的を達成するため、本発明による顕微鏡は、白色光源と照明光学系と該照明光学系に配置された励起フィルターを有する第１の光路と、対物レンズと射出フィルターと前記第１の光路と観察光路の交点に配置されたダイクロイックミラーを有する観察光路と、前記照明光学系に配置されたリング開口とを含んでいる。
【０００９】
また、本発明による顕微鏡は、第１の光路に沿って光を向けるための第１の白色光源と、前記第１の光路内に配置されていて、環状スリットを有し該環状スリットに対応する環状の光を除く総べての光を遮光するリング開口と、前記環状の光を標本に向けて該標本の全反射蛍光検鏡が達成されるようにするための対物レンズとを含んでいる。
【００１０】
更に、本発明による前記顕微鏡は、好ましくは、全反射蛍光検鏡に用いられる顕微鏡をレーザ以外の光源を備えた普通検鏡に用いられる顕微鏡に転換し又レーザ以外の光源を備えた普通検鏡に用いられる顕微鏡を前記全反射蛍光検鏡に用いられる顕微鏡に転換するための構成を含んでいる。該構成は、以下の（１）又は（２）の内の一つを備えるのが好ましい。
（１）第２の光路に沿って光を向けるための第２の白色光源と、前記第１の白色光源からの光を遮断するため、前記第１の光路内に配置された第１の遮光手段と、前記第２の白色光源からの光を遮断するため、前記第２の光路内に配置された第２の遮光手段と、前記第１の光路からの光環又は前記第２の光路からの光の一方を伝送するため、前記第１及び第２の光路の集光位置に設けられたビームスプリッタを更に含んでおり、前記対物レンズが、前記第１の遮光手段により前記第１の白色光源からの光が遮断された際には前記第２の光路からの光を標本に向け、前記第２の遮光手段により前記第２の白色光源からの光が遮断された際には前記第１の光路からの光を標本に向けることを可能にした構成、または、
（２）前記第１の光路から前記対物レンズに光を向ける手段を有する少なくとも２つの光路変更ユニットを持ち、該光路変更ユニットのいずれか１つを前記第１の光路内に選択的に配置可能なターレットを更に含んでおり、前記光路変更ユニットのうちの少なくとも１つが、更に光環（輪帯状の光）を拡散させるためのディフューザーを有している構成。
また、更に前記対物レンズの開口数が下記条件に従うのが好ましい。
θ１＝ｓｉｎ-1（ｎ２／ｎ１）
３  ＞  ＮＡ（ＯＢ）  ＞  ｎ１  ｓｉｎθ１
但し、ＮＡ（ＯＢ）は前記対物レンズの開口数、ｎ１は前記対物レンズ用浸油の屈折率、ｎ２は標本または標本用媒体の屈折率である。
【００１１】
更に、本発明によれば、組み合わされた全反射蛍光検鏡(TIRFM)と従来の顕微鏡が提供されている。この組み合わされた顕微鏡は、第１の光路に沿って光を向けるための第１の白色光源と、前記第１の光路内に配置されていて、環状スリットを有し該環状スリットに対応する環状の光を除く総べての光を遮光するリング開口と、前記環状の光を標本に向けて該標本の全反射蛍光検鏡が達成されるようにするための対物レンズと、
顕微鏡を、全反射蛍光検鏡又は普通検鏡の一方へ又その一方から転換するための転換手段と、を含んでいる。
【００１２】
また、本発明によれば、顕微鏡／組み合わされた顕微鏡は、好ましくは、直立姿勢（正立型顕微鏡）か倒立姿勢（倒立型顕微鏡）の何れかの形態を有している。
【００１３】
更に、本発明によれば、全反射蛍光検鏡(TIRFM)を可能にするため、顕微鏡に使用されるリング開口が用意されている。このリング開口は、環状のスリットに対応する光の環を除く総ての光を遮光する環状のスリットを有している。このリング開口は、好ましくは、前記リング開口を、白色光源の光路内の第１位置と該第１位置から離れた第２位置との間で選択的に移動できるように収納する機構を更に含んでいる。
【００１４】
更に、本発明によれば、従来の顕微鏡を全反射蛍光検鏡（ＴＩＲＦＭ）顕微鏡へ転換するための方法が提供されている。この方法は、普通の顕微鏡を提供するステップと、白色光源と対物レンズとの間の顕微鏡光路内に、環状スリットに対応する光の環を除く総ての光を遮光するための該環状スリットを有するリング開口を設置するステップとを含んでいる。
【００１５】
更に、本発明によれば、前記設置するステップは、好ましくは、
（１）前記リング開口を顕微鏡光路内に固定すること、または、
（２）前記リング開口を、前記リング開口が前記第１の光路内にある第１位置と、前記リング開口が前記第１光路から外された第２位置との間を選択的に移動するように顕微鏡に移動可能に取付けられた機構に取付けること、
の何れかを含んでいる。
【００１６】
また、本発明によれば、光源として、キセノンランプ、メタルハロイド及び超高圧水銀灯等が用いられる。この内、７５Ｗのキセノンランプや１００Ｗの超高圧水銀灯等の場合、アークの電極間距離が約０．６ｍｍ前後である。アークの電極間距離が発光点の大きさに近いと仮定すると、光源の発光点からの光を数ｍｍ程度の直径のリング開口に透過させるためには、照明光学系の投影倍率を高くしなければならない。そこで、例えば直径３ｍｍのリング開口に照明光を透過させるには、照明光学系の投影倍率を５倍程度にするのが好ましい。
【００１７】
なお、上記投影倍率の条件は、光源によっても変わる。例えば、高圧水銀灯の出力の高いものを用いると、電極間距離が長くなり、発光点が大きくなる。よって、照明光学系の投影倍率も低くできる。実用的な観点から判断すると、光源としては１００Ｗから５００Ｗの出力の超高圧水銀灯か、又は７５Ｗから５００Ｗ程度の出力のキセノンショートアークランプか、又はメタルハロイドランプを用いれば良い。電極間距離でいうと、０．４ｍｍから５ｍｍ程度の光源を用いれば良い。このような光源であれば、照明光学系の設計も容易となる。電極間距離が５ｍｍ以上のものは、投影倍率の条件から大きく離れる。また、光源も高出力になりすぎ、光源の外形が大きくなり過ぎて、実用性に乏しくなる。
【００１８】
また、光源とリング開口の間にディフューザーを挿入するのが好ましい。このようにすると、リング開口に均一な明るさの光が入るので、標本位置においても均一な照明が出来るようになる。また、実質的に発光面積が大きくなるので、光源の位置調整もやり易くなる。ディフューザーの透過率は、６０％から９５％程度のものが望ましい。この透過率を９５％より高くすると均一な照明を作るのが難しくなるし、６０％以下にすると照明光が暗くなるので実用的ではない。ディフューザーの透過率の測定は、市販の分光光度計例えば日立自記分光光度計Ｕ−３２００などで可能である。測定は、キュベットホルダー近傍に分光器の光軸と垂直になるようにディフューザーを挿入すると可能である。
【００１９】
このディフューザーは、光源からの光がリング開口を透過し易くなるという効果も生じる。光源とリング開口の間にディフューザーを挿入すれば照明光が散乱されるので、照明光がリング開口を通り易くなる。その結果、照明光学系の投影倍率を２倍から８倍にしても、十分標本を全反射照明することが出来る。投影倍率を２倍以下にすると、照明が暗くなってしまう。また、８倍以上にすると照明系が長くなり、操作性の悪い照明系となってしまう。顕微鏡の操作上の制約などで、照明光学系の投影倍率を５倍程度に出来ない場合があっても、上記のようにディフューザーを光源とリング開口の間に挿入すれば、十分な照明光を標本面近傍まで導くことが出来る。
【００２０】
また、リング開口を光軸に沿って複数個入るような構成とすることが望ましい。これにより、更にコントラストの高い蛍光像を得ることが出来る。例えば、光軸方向の異なる位置に二つのリング開口を配置したとする。この場合、照明光は第１のリング開口に照射されるが、この時、全反射に必要のない殆どの光は、リング開口の遮光部で反射又は吸収される。次に、照明光は第２のリング開口に入射する。ここで、全反射照明に必要な方向に進む照明光のみが取り出される。なお、この第２のリング開口は対物レンズの瞳位置と共役な位置に配置されており、全反射に必要な照明光を通過させるリング開口として働く。このようにリング開口を二重にすると、全反射照明に使わない殆どの光を第１のリング開口でカットできる。これにより、第２のリング開口のエッジで発生する反射光や回折光の量を少なく出来る。そして、第２のリング開口射出した光線は、視野絞りを通過する。この視野絞りを通過する際も第１のリング開口で予め照明光を制限しているので、視野絞りを絞っても、視野絞りの表面で反射する光の量は比較的小さくなる。その結果、照明系内部で発生する散乱光も小さく出来る。
【００２１】
また、視野絞りのエッジでの反射光や回折光も小さくすることが出来る。よって、全反射照明用リング開口から標本までの間の光学系で発生するレンズ枠などによる散乱光を最小限に抑えることが出来る。また、ディフューザーによって発生する散乱光もカットできる。その結果、像のコントラストを上げることが出来る。
【００２２】
又、本発明によれば、光軸に沿って複数のリング開口を配置する代わりに、光軸方向に厚さを有するリング開口を配置しても良い。このリング開口の厚さは、０．５ｍｍ以上３０ｍｍ以下であることが望ましい。０．５より薄くすると、ディフューザーからの散乱光が対物レンズ近傍や標本近傍まで導かれるので、像のコントラストが悪くなる。また、３０ｍｍ以上の厚さにすると、照明光学系内のレンズやメカ部品との干渉を起こす。
【００２３】
この場合、リング開口に厚さがあることでリング開口壁面の反射が、像のノイズになる可能性がある。そのため、リング開口の壁面に遮光線を彫るなどの遮光処理を施すのが望ましい。また、別の方法としては、照明系にリレー光学系を配置する方法がある。このリレー光学系によって、光源の像或いはリング開口の像を複数回リレーするようにすれば良い。そして、このリレーされた光源像の位置或いはリング開口像の位置に、第２のリング開口を配置すれば良い。このよな構成にすることで、光軸方向に厚みのあるリング開口を配置しなくても済む。これにより、コントラストの良い全反射蛍光照明を実現することが出来る。なお、リング開口を複数個入れる場合も、これらの間隔を合計した値は０．５ｍｍ以上３０ｍｍ以下にするのが好ましい。
【００２４】
また、本発明によれば、励起フィルターを第１の光路中に配置する際には、対物レンズ側のフィルター面が光軸に対して少なくとも±２度傾くように、励起フィルターを配置するのが好ましい。これにより、カバーガラスで発生した迷光を除去することができる。なお、好ましくは、上記フィルター面の光軸に対する傾き角を＋２度から＋８度、あるいは−２度から−８度の範囲内にするのが好ましい。
また、励起フィルターの配置場所を、リング開口と光源の間にするのが好ましい。これにより、上記角度範囲を満足していなくても、カバーガラスで発生した迷光を除去することができる。
【００２５】
また、本発明によれば、リング開口の素材としてガラス基板を用い、環状スリットを蒸着等の方法で形成することもできる。また、ガラス基板の両面に環状スリットを形成することもできる。
【００２６】
【発明の実施の形態】
以下、本発明の実施の形態を図示した実施例に基づき説明する。
本発明は、多種多様の顕微鏡に適用できるが、特に、対物レンズが標本の上にある直立型の顕微鏡の環境において有用であることが分かっている。しかし、本発明は、また、対物レンズが標本の下にある倒立型の顕微鏡にも有用である。それ故、どんな特殊な形態の顕微鏡にも本発明の適用可能性を制限されることなしに、本発明は直立型顕微鏡を対象に説明することにする。
【００２７】
図１には、全反射蛍光検鏡(TIRFM)に用いられる顕微鏡の第１実施例が示されている。この顕微鏡は全体が符号３００で示されている。第１の光路(A)に沿って白色光源と呼ばれる普通の光源３０２が配置されている。「白色」光源は、顕微鏡において普通に用いられる、ハロゲン，水銀，キセノン及びメタルハロイドランプの如きレーザ以外の、光源を意味する。これらのタイプのランプは、単なる例示であって総てではない。当業者は、「白色」光源は、レーザ光源を除いて顕微鏡技術で用いられる従来の何れの光源でも期待出来ることを悟っている。
【００２８】
第１の光路は、コレクターレンズ３０４，照明レンズ３０６，投影レンズ３０８及び励起フィルター３１０等のその機能が周知である、顕微鏡技術において知られ且つ普通のものであると考えられている要素を含んでいる。第１の光源３０２からの上記要素を透過した光は、その光を対物レンズ３１４と観察されるべき標本を保持する標本ホルダー３１６へ向けて反射し、それによって標本を照明するダイクロイックミラー３１２又は類似のデバイスへ入射せしめられる。そして、標本は、ダイクロイックミラー３１２を透過し別の光路に沿ってCCD又は（図示しない）接眼レンズの如き像形成装置３１８へ、投影され得る。別の光路は、典型的には、その機能が顕微鏡技術において周知である射出フィルター３２０及び鏡筒レンズ３２２のような追加要素も有しているであろう。
【００２９】
なお、本発明の範囲又は思想を限定しない図示方法による図１を参照して、顕微鏡３００は好ましくは下記の仕様を持っている。
対物レンズ３１４の開口数NA(OB)＝１．４５；
対物レンズ３１４の倍率６０倍；
対物レンズ用浸油の屈折率(n1)＝１．５１５；
標本水の屈折率(n2)＝１．３３；
対物レンズの焦点距離f(OB)＝３ｍｍ；
拡大倍率＝１００倍；
「対物レンズの瞳」から「照明器内の共役位置」までである照明レンズによる拡大倍率B(IL)＝０．５６１
【００３０】
図１の顕微鏡３００のその他についての記述は公知の顕微鏡と同様であって、従来通りに使用され得る。従来の顕微鏡又は顕微鏡の普通の用途というのは、標本を照明するのに従来の光源を使用する顕微鏡を意味する。しかし、顕微鏡３００は、更に、第１光路(A)内に配置されたリング開口３２４を含んでいる。次に、図２を参照して、このリング開口３２４は、環状のスリット３２６を有していて、該環状スリット３２６に対応する光の環以外の総ての光を遮光するようになっている。即ち、環状スリット３２６（より詳しくは、スリット３２６ａ，３２６ｂ，３２６ｃ）のみを光が通過する。製造を容易にするために、この環状スリット３２６は三つの独立したスリット３２６a，３２６b及び３２６cを含んでいる。更に、このリング開口３２４は、単なる例示であって何れにしても本発明の範囲を限定するものではない環状のものとして示されている。
【００３１】
次に、図３には、図１の顕微鏡３００の一部をより詳細に図示した概略図が示されている。（図３には示されていない）光源３０２からの光は、環状スリット３２６２に対応する光環５００を除いてリング開口３２４によって遮光されている。そして、光環５００は、投影レンズ３０８によってダイクロイックミラー３１２上に投影される。ダイクロイックミラー３１２は、光環５００を(図示しない）標本を照明する対物レンズ３１４に向けて、標本のTIRFMが達成されるようにする。環状スリットの像は、対物レンズ３１４の後側焦点面３３０に投影される。この照明光は、(図示しない）標本を照明して、分子を励起する。TIRFMは、図１６に示された、式（１）の条件がレーザー光１００と置換された光環５００により可能となるため、達成される。
【００３２】
次に、図４には、対物レンズと図１の直立型顕微鏡の標本が示されている。対物レンズ３１４のトップレンズ３４１が、浸液３４０(好ましくは浸油）上に置かれて示されている。屈折率n2を有する標本は、カバーガラス３４２とスペーサー３４３により離されたスライドガラス３４４との間に挟まれている。照明器から来た光環５００は浸液３４０に入射して透過する。その光環はカバーガラス３４２と標本３４５との間で反射する。カバーガラス３４２の屈折率は、好ましくは、浸液３４０の屈折率(n1)と殆ど同じである。そして、エバネッセント波３４７がカバーガラス３４２の表面から生成される。励起光はカバーガラス３４２に近接した分子３４７に当たり、蛍光を発生せしめる。分子からの発生光は、ダイクロイックミラー３１２(図１）と射出フィルター３２０(図１及び３）を透過して、像形成装置３１８（図１）上に焦点を結ぶ。
【００３３】
次に、図５には、顕微鏡３００をTIRFM顕微鏡から従来の顕微鏡へ転換し、また、従来の顕微鏡からTIRFM顕微鏡へ転換するための手段を有する、図１に示した顕微鏡の第１の変形例が示されている。図５の顕微鏡は、全体が符号６００で示されている。顕微鏡６００は、リング開口３２４を装着したスライド機構６０２を持っている。このスライド機構６０２は、リング開口３２４を第１の光路(A)内に挿入したり、第１の光路(A)から引出したりする。このスライド機構３２４は、ノブ６０３を調節することによりリング開口３２４を一線上に揃えるための機構を持っている。リング開口３２４を図５に示された位置、即ち、第１の光路(A)から引出された位置へスライドすると、顕微鏡６００は従来通り操作できる。
しかし、リング開口３２４を第１の光路内の位置へスライドすると、顕微鏡６００は図１の顕微鏡がする如く、即ちTIRFM顕微鏡の如く作用する。光学要素を光路に挿脱する形式のスライド機構は、光学や顕微鏡の技術では周知であるから、詳細な説明をここでは省略する。
【００３４】
なお、本発明の範囲又は思想を限定しない図示方法による図５を参照して、顕微鏡６００は好ましくは下記の仕様を持っている。
対物レンズ３１４の開口数NA(OB)＝１．６５；
対物レンズ用浸液の屈折率(n1)＝１．７８；
標本水の屈折率(n2)＝１．３３；
対物レンズの焦点距離f(OB)＝１．８ｍｍ；
拡大倍率＝１００倍；
「対物レンズの瞳」から「照明器内の共役位置」までである照明レンズによる拡大倍率B(IL)＝０．８４
【００３５】
図６には、顕微鏡３００をTIRFM顕微鏡から従来の顕微鏡へ転換し、また、従来の顕微鏡からTIRFM顕微鏡へ転換するための手段を有する、図１に示した顕微鏡の第２の変形例が示されている。図６の顕微鏡は、全体が符号７００で示されている。顕微鏡７００は、光を第２の光路(B)に沿って向けるための第２の白色光源７０２を有している。手動又は自動で操作し得るシャッター７０４a，７０４bの如き遮光手段が、第１及び第２光路に夫々配置されていて、第１又は第２の白色光源３０２，７０２からの光を選択的に遮光し得るようになっている。顕微鏡７００は、更に、リング開口３２４を有する第１の光路(A)からの光又は対物レンズ３１４への第２の光路(B)からの光の環の一方を伝送する第１及び第２の光路の集光位置（第１の光路と第２の光路が交差する位置）に配置されたビームスプリッター７０６を有している。シャッター７０４aが閉じられると、リング開口３２４からの光環は遮光され、顕微鏡７００は従来通り操作することが出来る。しかし、シャッター７０４bが閉じられると、白色光源７０２からの光が遮光されてリング開口３２４からの光環が対物レンズ３１４へ到達するのを可能にし、顕微鏡は図１の顕微鏡がする如く、即ちTIRFM顕微鏡の如く作用する。
【００３６】
なお、本発明の範囲又は精神を限定しない図示方法による図７を参照して、顕微鏡７００は好ましくは下記の仕様を持っている。
対物レンズ３１４の開口数NA(OB)＝１．６５；
対物レンズ用浸液の屈折率(n1)＝１．７８；
標本水の屈折率(n2)＝１．３３；
対物レンズの焦点距離f(OB)＝１．８ｍｍ；
拡大倍率＝１００倍；
「対物レンズの瞳」から「照明器内の共役位置」までである照明レンズによる拡大倍率B(IL)＝０．８４
【００３７】
図７には、顕微鏡３００をTIRFM顕微鏡から普通の顕微鏡へ転換し、また、普通の顕微鏡からTIRFM顕微鏡へ転換するための手段を有する、図１に示した顕微鏡の第３の変形例が示されている。図７の顕微鏡は、全体が符号８００で示されている。顕微鏡８００は、少なくとも二つのステーション、好ましくは図７に示す如く四つのステーションを有する回転可能のターレット８０２を含んでいる。当該技術では公知であるように、ターレット８０２の各ステーションは、第１の光路(A)内に選択的に配置され得る。各ステーションは、又、（図７には示されていない)ダイクロイックミラー３１２のような、第１の光路から対物レンズ３１４へ光を向ける手段を持っている。ダイクロイックミラー３１２は、好ましくは、回転可能のターレット８０２に含まれるキューブユニット８０２a，８０２b，８０２c及び８０２dの中にある。
【００３８】
少なくとも一つのステーション８０２aは、又、リング開口３２４からの光の環を拡散するためのディフューザー８０４を持っている。ディフューザー８０４は第１光路に置ける一要素として示されているけれども、それは簡素化の目的でそのよに示されているのであって、当業者は、それはステーション８０２aに固着されて共に回転すると理解するであろう。ターレット８０２は、ステーション８０２aが光路(A)内にあってリング開口３２４からの光環を拡散するように回転されると、顕微鏡８００は従来通り操作することが出来る。しかし、ターレット８０２が回転されて、ディフューザー８０４を持っていないステーションが第１光路(A)内に入って、リング開口３２４からの光環が対物レンズ３１４に到達できるようにした時は、顕微鏡は図１の顕微鏡のように作用する、即ちTIRFM顕微鏡になる。例えば、キューブユニット８０２a内にはディフューザー８０４が設けられており、キューブユニット８０２b内にはディフューザー８０４は設けられていない。キューブユニット８０２bが光路に入るようにターレット８０２が回転されると、構成はTIRFMになり、キューブユニット８０２aが光路に入るようにターレット８０２が回転されると、構成は蛍光顕微鏡となる。
【００３９】
このように、ターレット８０２内にディフューザーが設けられると、顕微鏡はTIRFM及び蛍光顕微鏡に容易に変わることが出来る。
【００４０】
次に、同一要素には同一符号が付されている図８には、全体が数字符号９００により示された、本発明のもう一つの顕微鏡が示されている。図８の顕微鏡９００は、直立型に代えて倒立型に構成されている点で、図１に示された顕微鏡とは異なる。即ち、対物レンズは観察されるべき標本の下に配置されている。これに対して、直立型に構成された顕微鏡においては、対物レンズは観察されるべき標本の上に配置されている。これに加えて、図８の顕微鏡９００は、標本の像を像形成装置３１８は勿論接眼レンズ９０４へ向けて反射するミラー９０２を持っている。当業者ならば、直立型の形態で示されてはいるけれども、上記何れの形態も、倒立型の形態に同様に適用可能であることを悟るであろう。事実、当業者は、又、本発明の顕微鏡は特別の如何なる形態又は諸形態に限定されることもないことを悟るであろう。
【００４１】
なお、本発明の範囲又は精神を限定しない図示方法による図８を参照して、顕微鏡９００は好ましくは下記の仕様を持っている。
対物レンズ３１４の開口数NA(OB)＝１．６５；
対物レンズ用浸液の屈折率(n1)＝１．７８；
標本水の屈折率(n2)＝１．３３；
対物レンズの焦点距離f(OB)＝１．８ｍｍ；
拡大倍率＝１００倍；
「対物レンズの瞳」から「照明器内の共役位置」までである照明レンズによる拡大倍率B(IL)＝０．４
【００４２】
次に、図９には、倒立型顕微鏡用の対物レンズと標本が示されている。対物レンズ３１４のトップレンズ３４１は、浸液３４０好ましくは屈折率n1の浸油に隣接している。屈折率n2の標本３４５は、カバーガラス３４２の上に置かれている。光５００は、照明器から来て浸液３４０に入射し、そこを透過して、カバーガラス３４２で反射する。カバーガラス３２４の屈折率は、好ましくは、浸液３４０の屈折率と殆ど同じである。エバネッセント波３４７は、カバーガラス３４２の表面で生成される。それ故、カバーガラス３４２に近接した標本分子３４５は蛍光を発する。発生した蛍光光は、ダイクロイックミラー３１２と射出フィルター３２０を透過し、像形成装置３１８上に焦点を結ぶ。
【００４３】
本発明の顕微鏡は、好ましくは、下記条件の開口数NA(OB)を有する対物レンズを持っている。
θ１＝sin-1(n2／n1)
３> NA(OB) > n1 sinθ１
但し、NA(OB)は対物レンズの開口数、n1は対物レンズ用浸油の屈折率、n2は標本又は標本用媒質の屈折率である。
【００４４】
対物レンズの開口数NA(OB)が「n1 sinθ１」よりも小さければ、照明光は全反射し得ない。TIRFM構成の難しさは、光が対物レンズ瞳の極めて周辺を通過するということである。対物レンズの開口数が下記の条件を満たせば、TIRFMは観察可能である。
３> NA(OB) > １．４
下記条件のように、対物レンズの開口数がより大きければ、照明器におけるリングの整合は容易となる。
３> NA(OB) >１．４２
より多くの明るさが必要ならば、下記の条件が助けになり得る。
３> NA(OB) > １．４５
しかし、NA(OB)が３よりも大きいと、対物レンズは、ガラスの屈折率に制限があるので、設計が非常に難しくなる。
【００４５】
本発明の顕微鏡は、対物レンズの瞳位置に対して共役な面を持つ照明器と、下記条件を満たす照明レンズとを有することが好ましい。
θ１＝sin-1(n2／n1)
NA(OB) > n1 sinθ１
１．２７< ２×NA(OB)×f(OB)／B(IL) < ７５
但し、NA(OB)は対物レンズの開口数、n1は対物レンズ用浸油の屈折率、n2は標本又は標本用媒質の屈折率、f(OB)は対物レンズの焦点距離、B(IL)は「対物レンズの瞳位置」から「照明器内の共役位置」までの間にある照明レンズによる倍率である。
例：対物レンズ３３０の瞳からリング開口３２４内の共役位置（この共役位置は対物レンズの瞳位置と共役な位置である）までの間にある照明レン
ズによる倍率はB(IL)である。
【００４６】
対物レンズの焦点距離は下記の通りである。
１．０< f(OB) < ６
対物レンズの焦点距離が上記範囲内にあれば、レンズの設計は可能である。対物レンズの焦点距離が上記範囲から外れると、TIRFM用の対物レンズを設計するのは非常に難しくなる。
０．３< B(TL) < ２．５
照明レンズの倍率が上記範囲内にあれば、顕微鏡を構成するのは容易である。その倍率が２．５ｘを上回ると、照明器を合理的なサイズに構成するのは非常に難しくなる。即ち、照明器はより長くなる。上記倍率が０．３を下回ると、照明レンズを設計するのが非常に難しくなる。
【００４７】
図１０には、図１に示した顕微鏡の第４の変形例が示されている。この変形例において、同一要素には同一符号が付されており、それらについての説明は省略されている。この変形例は、光源３０２とリング開口３２４との間にディフューザー１５００を配置している。作用効果については、既に述べた通りである。
【００４８】
図１１には、図３に示した顕微鏡の変形例が示されている。この変形例は、全反射光路に複数個のリング開口を挿入した場合を示している。３２４pは対物レンズ３１４に入射する照明光の開口数を制限するリング開口であり、対物レンズ３１４の瞳と共役の位置にある。もう一つのリング開口３２４qは、リング開口３２４pより光源に近い位置に配置されている。そして、照明光のうち不要な光を予め遮光している。また、この照明光学系は、視野絞り１６００を有する。この構成では、複数個のリング開口の間隔を合計した値Rは、２ｍｍである。
【００４９】
リング開口の形状は図２に示した通りであり、Aはリング開口の外径、Bは内径である。図１１の光学系には、図２に示したようなリング開口を２個配置している。ここで、リング開口３２４pについては、全反射照明に最適なAとBの値が設定されている。一方、リング開口３２４qについては、AとBの値がリング開口３２４pのそれよりも僅かに大きな値に設定されている。これは、リング開口３２４qが、リング開口３２４pよりも光源側に配置されていることによる。この位置では光源からの光が未だ広がっているので、その分だけ光を通す開口部を大きくして置かなければならないためである。
【００５０】
なお、Aの値は、対物レンズ３１４の開口数で決まる光束の範囲内に照明光が存在する値に設定した方が望ましい。Aの値を大きめに設定すると、照明光の外側の光（光軸から離れた位置にある光)が、対物レンズやレンズの枠に照射されることになる。このような場合、照明光が枠で反射し、その反射光が蛍光と一緒になって像形成装置３１８に到達することになる。そのため、蛍光像のコントラストを低下させてしまう場合がある。
【００５１】
なお、ディフューザー１５００と複数のリング開口３２４p，３２４qを第１の光路Aに配置した、図１に示した顕微鏡の第５の変形例が図１２に示されている。
【００５２】
図１３は、図１１においてリング開口３２４qとリング開口３２４pと視野絞り１６００を通る光の様子を示す図である。照明光の多くの光即ち図１３のG1,G2で示された光は、リング開口３２４qに到達した際に遮光部で遮られる。よって、標本に導かれる光は、全反射照明に必要な大きさの光のみになる。但し、リング開口３２４qでは光束の大きさが制限されるだけで、光束の進行方向は制限されない。そのため、一部の光は、リング開口３２４qの開口部を直接通過するか、或いは、開口部のエッジ部分で回折したり、反射したりする。これらの光は、図１３にH1，H2として図示されている。しかしながら、これらの光は、全反射照明に必要な光とは異なる方向に進むので、リング開口３２４pの遮光部で遮られる。そのため、標本には到達しない。リング開口３２４qを通過した照明光は、リング開口３２４pに到達する。ここでは、照明光の進行方向が制限される。即ち、全反射照明に適した方向の照明光だけが、リング開口３２４pの開口部を通過する。なお、この時にも、リング開口３２４pの開口部のエッジ部分で、回折や反射が生じる。しかしながら、リング開口３２４pで光束の大きさが制限されるので、リング開口３２４pのエッジ部に到達する光は非常に少なくなる。よって、リンク開口３２４pのエッジ部で生じる回折光や反射光は、非常に弱くなる。この結果、これらの光が蛍光像のコントラストを低下させることはない。複数個のリング開口の間隔を合計した値Rは、２ｍｍとした。
【００５３】
図１４は、厚さRを持ったリング開口３２４rを照明系に挿入した場合の例を示している。リング開口３２４ｒの両面の開口部（環状スリット）の大きさは異なっている。図１４では左側（光源側）の開口部に比べると、右側（視野絞り１６００側）の開口部の方が小さい。リング開口３２４ｒを貫通する穴はデーパー状になっている。なお、ここでは、R＝２ｍｍとした。この場合の作用効果は、上述のもと同様である。
【００５４】
図１５は、リング開口を２回リレーするように構成した実施例を示している。この実施例では、光源１０１１を射出した照明光は、コレクターレンズ１０１０と照明レンズ１００９を通った後、第１の位置で集光する。この第１の位置は光源１０１１の像が形成される位置であって、従来の顕微鏡において開口絞りが配置される位置である。本実施例では、この位置に第１のリング開口１００８を配置する。次に、照明光は照明レンズ１００７と１００６を通過し、第２の開口絞りの位置に集光する。この位置に第２のリング開口１００５を配置する。この構成において、第１のリング開口１００８が図１１におけるリング開口３２４qの役目を果たし、第２のリング開口１００５が図１１におけるリング開口３２４pの役割を果たす。従って、第１のリング開口１００８の配置位置は集光位置でも良いが、若干前後にずれた位置であっても良い。一方、第２のリング開口１００５の配置位置は、集光位置と略一致する位置であることが好ましい。なお、ディフューザー１５００は、コレクターレンズ１０１０と照明レンズ１００９との間に挿入した。
【００５５】
また、以上述べた実施例において、励起フィルターを第一の光路中に配置する際には、傾けて配置することが好ましい。より具体的には、対物レンズ側の面が少なくとも±２度傾くように、励起フィルターを配置するのが好ましい。ここで、上記の傾き角は、第１の光路の光軸に対して垂直な方向を基準（０度）とした時の角度である。このように、面が傾くようにして配置する理由を以下に説明する。
【００５６】
図１の構成において、光源から直接標本に達する光（全反射照明を行う本来の光、以下直接光とする）は標本に到達した際に、カバーガラスと標本の間で全反射される。この全反射光は対物レンズ３１４を通過し、ダイクロイックミラー３１２で反射されて、励起フィルター３１０に到達する。通常、励起フィルター３１０はレンズなどに比べて表面の反射率が高い。そのため、励起フィルター３１０に到達した光の一部は励起フィルター３１０の表面で反射されて、再び標本に向かう（以下、再び標本に向かう光を戻り光とする）。
【００５７】
ここで、励起フィルター３１０が対物レンズ３１４の瞳位置、あるいは瞳と共役な位置にあれば、戻り光の全て（軸上光及び軸外光）が直接光と同じ方向に進むので問題ない。しかしながら、図１の構成のように、対物レンズ３１４の瞳位置あるいは瞳と共役な位置に励起フィルター３１０がない場合、戻り光のうち軸外光は全反射を起こさない角度でそのまま標本内に到達する。この場合、標本内に到達した光によって蛍光が発生することになる。この蛍光は、全反射照明によって得られる蛍光と一緒になる。この結果、全反射照明によって得られる蛍光像のコントラストを、低下させてしまう。そこで、上記のように励起フィルターの面を傾けて配置すると、戻り光が標本に照射されなくなるので、像のコントラスト低下を防ぐことができる。なお±４度以上傾けると、視野全体にわたって像のコントラスト低下を防ぐことができる。
なお、＋８度あるいは−８度を超えて傾けると、励起フィルターが干渉型の場合、照明光の波長がシフトして好ましくない。よって、傾き角は＋２度から＋８度、あるいは−２度から−８度の範囲内にするのが好ましい。
【００５８】
また、励起フィルターの配置場所を、リング開口と光源の間にするのが好ましい。これにより、上記角度範囲を満足していなくても、励起フィルターを傾けて配置したのと同じ効果がある。例えば、図１の構成において、励起フィルター３１０を、リング開口３２４とコレクターレンズ３０４の間に配置する。そうすると、標本で全反射されダイクロイックミラー３１２で反射された光は、リング開口３２４を通過して励起フィルター３１０に到達する。このとき、直接光と異なる角度でリング開口３２４を通過した光は、励起フィルター３１０の表面で反射されてもリング開口３２４でカットされる。その結果、全反射角と異なる角度で標本面に戻る戻り光はほとんどなくなる。よって、像のコントラストが低下することはない。また、戻り光のうち再びリング開口３２４を通過した光は、直接光と同じであるから問題ない。
【００５９】
図２や図１４に示したリング開口は、素材が金属やプラスチックなどの、光を透過しない素材である。従って、素材に穴を貫通させることで、光を透過する部分を形成している。これとは別に、リング開口の素材としてガラス基板を用いることもできる。この場合、光を透過する部分と遮光する部分は蒸着（コート）によって形成することができる。したがって、素材に貫通穴を形成する必要はない。また、環状スリット３２６の形も、図２のように３つのスリット３２６ａ，３２６ｂ，３２６ｃに分ける必要がない。
【００６０】
また、複数のリング開口が必要な場合、これらのガラス基板を複数配置すればよい。ただし、ガラス基板の場合は、ガラス基板の両面に環状スリットを形成することもできる。したがって、両面に形成する環状スリットの形状を異ならせれば、図１４のようなリング開口も容易に製作することができる。
【００６１】
また、以上述べた実施例において、良好なコントラストの全反射像を得るためには、カバーガラスと標本または培養液との間で、総ての照明光が全反射照明できるようにすることが望ましい。つまり、対物レンズの開口数換算で、照明光が標本に入射する時の角度を、少なくともNA＝１．３３相当以上にしなければならない。好ましくは、NA＝１．３８相当を下限として照明できるようにしなければならない。
【００６２】
以上、本発明の好適実施例と考えられるものを図示説明したが、発明の精神から離れることなしに、形式または細部において各種の修正及び変形が容易になされ得ることは、勿論理解されるであろう。従って、本発明は、図示説明された構成に限定されず、特許請求の範囲の範囲内でなされ得る総ての変形をカバーするように構成されることを、意図している。
【００６３】
以上説明したように、本発明の顕微鏡は、特許請求の範囲に記載した特徴の他に下記の特徴を有している。
（１）  前記転換手段は、
第２の光路に沿って光を向けるための第２の白色光源と、
前記第１または第２の白色光源からの光を選択的に遮光するため、前記第１及び第２の各光路に設けられた遮光手段と、
前記第１の光路からの光環または前記第２の光路からの光環の一方を伝送するため、前記第１または第２の光路の集光位置に設けられたビームスプリッタとを含んでいる請求項２に記載の顕微鏡。
（２）  前記の各遮光手段はシャッタを含んでいる上記（１）に記載の顕微鏡。
（３）  前記転換手段は少なくとも二つのステーションを持つターレットを含んでおり、前記の各ステーションは前記第１の光路に選択的に設けられ得て前記第１の光路から前記対物レンズに光を向ける手段を有し、前記ステーションの一方は更に光環を拡散させるためのディフューザーを有している請求項２に記載の顕微鏡。
（４）  直立姿勢の形態を有している請求項１に記載の顕微鏡。
（５）  倒立姿勢の形態を有している請求項１に記載の顕微鏡。
（６）  照明器は前記対物レンズの瞳位置と共役な面を有しており、且つ照明レンズは下記条件を満たしている請求項１記載の顕微鏡。
θ１＝ｓｉｎ-1（ｎ２／ｎ１）
３  ＞  ＮＡ（ＯＢ）  ＞  ｎ１  ｓｉｎθ１
２．８２  ＜  ２×ＮＡ（ＯＢ）×ｆ（ＯＢ）×Ｂ（ＩＬ）  ＜  ６０
但し、ＮＡ（ＯＢ）は前記対物レンズの開口数、ｎ１は前記対物レンズ用浸油の屈折率、ｎ２は標本または標本用媒体の屈折率、ｆ（ＯＢ）は対物レンズの焦点距離、Ｂ（ＩＬ）は前記対物レンズの瞳から前記照明器内の共役位置までである前記照明レンズによる拡大倍率である。
（７）  第１の光路に沿って光を向けるための第１の白色光源と、
前記第１の光路内に配置されていて、環状スリットを有し該環状スリットに対応する環状の光を除く総べての光を遮光するリング開口と、
前記環状の光を標本に向けて該標本の全反射蛍光検鏡が達成されるようにするための対物レンズと、
顕微鏡を、全反射蛍光検鏡又は普通検鏡の一方へ又その一方から転換するための転換手段と、
を含む全反射蛍光顕微鏡とレーザ以外の光源を備えた顕微鏡を組合せてなる顕微鏡。
（８）  前記転換手段は、前記リング開口を前記第１の光路に挿脱するため前記リング開口に設けられた機構を含んでいる上記（７）に記載の顕微鏡。
（９）  前記転換手段は、
第２の光路に沿って光を向けるための第２の白色光源と、
前記第１または第２の白色光源からの光を選択的に遮光するため、前記第１及び第２の各光路に設けられた遮光手段と、
前記第１の光路からの光環または前記第２の光路からの光環の一方を伝送するため、前記第１または第２の光路の集光位置に設けられたビームスプリッタとを含んでいる上記（８）に記載の顕微鏡。
（１０）  前記の各遮光手段はシャッタを含んでいる上記（９）に記載の顕微鏡。
（１１）  前記転換手段は少なくとも二つのステーションを持つターレットを含んでおり、前記の各ステーションは前記第１の光路に選択的に設けられ得て前記第１の光路から前記対物レンズに光を向ける手段を有し、前記ステーションの一方は更に光環を拡散させるためのディフューザーを有している上記（８）に記載の顕微鏡。
（１２）  直立姿勢の形態を有している上記（８）に記載の顕微鏡。
（１３）  倒立姿勢の形態を有している上記（８）に記載の顕微鏡。
（１４）  顕微鏡において全内部反射蛍光検鏡を可能にするため使用され、環状スリットに対応する環状の光を除く総べての光を遮光する該環状スリットを有するリング開口。
（１５）  前記リング開口を、白色光源の光路内の第１位置と該第１位置から離れた第２位置との間で選択的に移動できるように収納するスライド機構を更に含んでいる上記（１４）に記載のリング開口。
（１６） レーザ以外の光源を備えた顕微鏡を提供するステップと、
白色光源と対物レンズとの間の顕微鏡光路内に、環状スリットに対応する光の環を除く総ての光を遮光するための該環状スリットを有するリング開口を設置するステップと、
を含む、レーザ以外の光源を備えた顕微鏡を全反射蛍光検鏡顕微鏡へ転換する方法。
（１７）  前記設置ステップは、前記リング開口を顕微鏡光路内に固定することを含んでいる上記（１６）に記載の方法。
（１８）  前記設置ステップは、前記リング開口を、前記リング開口が前記第１の光路内にある第１位置と、前記リング開口が前記第１光路から外された第２位置との間を選択的に移動するように顕微鏡に移動可能に取付けられた機構に取付けることを含んでいる上記（１６）に記載の方法。
（１９）  前記第１の光路に照明光学系が配置され、該照明光学系における白色光源からリング開口までの投影倍率が２倍から８倍である、請求項１，上記（７），（１４），（１６）の何れかに記載の全反射蛍光顕微鏡。
（２０）  前記光源はアーク光源であって、該光源の電極間距離が０．４ｍｍ以上５ｍｍ以下である、請求項１，上記（７），（１４），（１６）の何れかに記載の全反射蛍光顕微鏡。
（２１）  前記白色光源からリング開口までの間にディフューザーが配置されている、請求項１，上記（７），（１４），（１６），（１９），（２０）の何れかに記載の全反射蛍光顕微鏡。
（２２）  前記リング開口が光軸に沿って複数個配置されている、請求項１，上記（７），（１４），（１６），（１９）乃至（２１）の何れかに記載の全反射蛍光顕微鏡。
（２３）  前記リング開口の光軸方向の厚さが０．５ｍｍ以上３０ｍｍ以下である、請求項１，上記（７），（１４），（１６），（１９）乃至（２２）の何れかに記載の全反射蛍光顕微鏡。
（２４）  前記光源の像を複数回リレーするリレー光学系を備え、リング開口を第１の光源像位置と第２の光源像位置に配置した、請求項１，上記（７），（１４），（１６）の何れかに記載の全反射蛍光顕微鏡。
（２５）  励起フィルターを更に備え、該励起フィルターの面を光軸に対して傾けて配置した請求項１または上記（７）に記載の顕微鏡。
（２６）  光軸に垂直な方向を基準としたとき、該基準に対して少なくとも２度傾けられている上記（２５）に記載の顕微鏡。
（２７）  光軸に垂直な方向を基準としたとき、該基準に対して２度以上８度以下の範囲で傾けられている上記（２５）に記載の顕微鏡。
（２８）  励起フィルターを更に備え、該励起フィルターを前記第１の白色光源とリング開口との間に配置した請求項１または上記（７）に記載の顕微鏡。
（２９）  前記リング開口の材質が透明部材である請求項１または上記（７）に記載の顕微鏡。
（３０）  前記と透明部材はガラスまたはプラスチックである上記（２９）に記載の顕微鏡。
（３１）  前記リング開口のパターンは前記透明部材の表面に形成されている上記（２９）に記載の顕微鏡。
【図面の簡単な説明】
【図１】リング開口を有する本発明に係るTIRFM顕微鏡の概略構成図である。
【図２】図１に示すリング開口の正面図である。
【図３】本発明に係るTIRFM顕微鏡のリング開口から対物レンズまでの光路の概略構成図である。
【図４】図１に示した顕微鏡の対物レンズと標本部分の拡大図である。
【図５】リング開口が光路に対して挿脱可能で、顕微鏡を従来通りにもTIRM用にも使用できる、図１に示した顕微鏡の別の実施例を示す図である。
【図６】第１と第２の光源を使用して夫々が独自の光路を有し、その一方の光路が図１に示したリング開口を有していて、顕微鏡を従来通りにもTIRM用にも使用できるようにした、図１に示した顕微鏡の更に別の実施例を示す図である。
【図７】従来の顕微鏡とTIRFM顕微鏡とを選択するため、ターレットが使用されている、図１に示した顕微鏡の更に別の実施例を示す図である。
【図８】対物レンズが観察されるべき標本の下にある倒立型の、図１に示した顕微鏡の概略構成図である。
【図９】図８に示した顕微鏡の対物レンズと標本部分の拡大図である。
【図１０】光源とリング開口との間の光路上にディフューザーを挿入した、図１に示した顕微鏡の更に別の実施例を示す図である。
【図１１】全反射光路に２個のリング開口と視野絞りとを挿入した、図３に示した顕微鏡の別の実施例を示す図である。
【図１２】照明光路に２個のリング開口とディフューザーを挿入した、図１に示した顕微鏡の更に別の実施例を示す図である。
【図１３】図１１に示した実施例における２個のリング開口と視野絞りとを通る光の様子を示す図である。
【図１４】厚さを持ったリング開口と視野絞りとを通る光の様子を示す図である。
【図１５】照明光路に２個のリング開口とディフューザーを挿入した、本発明に係る顕微鏡の別の実施例の概略構成図である。
【図１６】二つの物質の境界面に入射したレーザービームの波面の概略図である。
【図１７】レーザー光源を有する従来のTIRFM顕微鏡の要部概略図である。
【符号の説明】
１００，２００                              レーザー光
１０２，１０４                              物質
１０６                                      光波
３００，６００，７００，８００，９００      顕微鏡
３０２，７０２，１０１１                    光源
３０４，１０１０                            コレクターレンズ
３０６，１００３，１００６，１００９        照明レンズ
３０８                                      投影レンズ
３１０                                      励起フィルター
３１２，１００２                            ダイクロイックミラー
３１４，１００１                            対物レンズ
３１６，１０１２                            標本ホルダー
３１８                                      像形成装置
３２０                                      射出フィルター
３２２                                      鏡筒レンズ
３２４，３２４p，３２４q，３２４r           リング開口
３２６                                      環状のスリット
３２６a，３２６b，３２６c                   スリット
３３０                                      後側焦点面
３４０                                      浸液
３４１                                      対物レンズのトップレンズ
３４２                                      カバーガラス
３４４                                      スライドガラス
３４５                                      標本
３４７                                      エバネッセント波
５００                                      光環
６０３                                      ノブ
６０６                                      スライド機構
７０４a，７０４b                            シャッター
７０６                                      ビームスプリッター
８０２                                      ターレット
８０２a，８０２b，８０２c，８０２d          キューブユニット
９０２                                      ミラー
９０４                                      接眼レンズ
１００４，１６００                          視野絞り
１５００                                    ディフューザー
（A)                                        第１の光路
（Ｂ）                                      第２の光路
Ａ                                          リング開口の外径
Ｂ                                          リング開口の内径
Ｇ1，Ｇ2，Ｈ1，Ｈ2                           光
Ｒ                                          リング開口の厚さ
【図１】
0004108970.tif 000002
【図２】
0004108970.tif 000003
【図３】
0004108970.tif 000004
【図４】
0004108970.tif 000005
【図５】
0004108970.tif 000006
【図６】
0004108970.tif 000007
【図７】
0004108970.tif 000008
【図８】
0004108970.tif 000009
【図９】
0004108970.tif 000010
【図１０】
0004108970.tif 000011
【図１１】
0004108970.tif 000012
【図１２】
0004108970.tif 000013
【図１３】
0004108970.tif 000014
【図１４】
0004108970.tif 000015
【図１５】
0004108970.tif 000016
【図１６】
0004108970.tif 000017
【図１７】
0004108970.tif 000018